【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
原料を供給する原料供給装置と、
水を供給する水供給装置と、
前記原料と前記水とを反応させて水素を含む燃料を生成する水素生成装置と、
酸化剤を供給する酸化剤供給装置と、
前記水素生成装置により生成された燃料および前記酸化剤供給装置により供給された酸化剤を用いて発電する燃料電池と、
制御装置と、を少なくとも備えた燃料電池システムであって、
通常運転モードおよび、特殊運転モードと、を有し、
前記制御装置は、前記通常運転モードにおいて、第一の作動許可条件が満たされたか否かに応じて前記燃料電池システムの運転を継続させまたは停止させるよう制御し、
前記特殊運転モードにおいて、第一の作動許可条件よりも緩和された第二の作動許可条件が満たされたか否かに応じて前記燃料電池システムの運転を継続させまたは停止させるよう制御する、燃料電池システム。
【請求項２】
前記第１の作動許可条件が、温度、時間、燃料の水素濃度、圧力及び水分含有量のいずれかのパラメータに関する条件であって、前記第２の作動許可条件が、前記第１の作動許可条件と同一のパラメータに関し前記第１の作動許可条件を緩和した条件である、請求項１に記載の燃料電池システム。
【請求項３】
さらに、前記水素生成装置の温度を検出する温度検出器と、
前記水素生成装置の運転時間を計時する計時器と、を少なくとも備え、
前記第一の作動許可条件は、特定の条件を満たしてから第一の所定期間中に前記水素生成装置の温度が第一の所定温度を上回るか否かであり、
前記第二の作動許可条件は、特定の条件を満たしてから第二の所定期間中に前記水素生成装置の温度が第一の所定温度を上回るか否かであり、
前記第二の所定期間が前記第一の所定期間よりも長くなっている、請求項１に記載の燃料電池システム。
【請求項４】
前記第二の所定期間が、前記第一の所定期間の２倍以上３倍以下である、請求項３に記載の燃料電池システム。
【請求項５】
前記水素生成装置は、
前記原料と前記水とを反応させて水素を含むガスを生成する改質器と、
前記改質器から供給されたガス中の一酸化炭素をシフト反応により低下させる変成器と、を少なくとも備え、
前記温度検出器は、前記改質器、前記変成器の少なくとも一つの温度を検出する、請求項３に記載の燃料電池システム。
【請求項６】
さらに、前記変成器から供給されたガス中の一酸化炭素濃度を選択酸化反応により低下させる浄化器を備え、
前記温度検出器は、前記改質器、前記変成器、前記浄化器の少なくとも一つの温度を検出する、請求項３に記載の燃料電池システム。
【請求項７】
さらに、前記水素生成装置を加熱するヒータを少なくとも備え、
前記制御装置が、前記ヒータにより前記水素生成装置を加熱する燃料電池システムであって、
前記制御装置が、前記特殊運転モードにおいて、前記ヒータによる加熱量を増やす、請求項１に記載の燃料電池システム。
【請求項８】
前記水素生成装置は、
原料を改質する改質器と、
前記改質器を加熱する改質用加熱器と、を少なくとも備え、
前記制御装置が、前記改質用加熱器により前記改質器を加熱する燃料電池システムであって、
前記制御装置が、前記特殊運転モードにおいて、前記改質用加熱器による加熱量を増やすよう制御する、請求項１に記載の燃料電池システム。
【請求項９】
前記制御装置が、前記特殊運転モードにおいて、前記原料供給装置からの原料の供給量を増やすよう制御する、請求項１に記載の燃料電池システム。
【請求項１０】
前記改質用加熱器は、前記燃料電池から排出される燃料排ガスを燃焼させる、請求項８に記載の燃料電池システム。
【請求項１１】
前記制御装置は、前記特殊運転モードにおいて、前記水供給装置が供給する水の量を減少させるよう制御する、請求項１に記載の燃料電池システム。
【請求項１２】
前記通常運転モードと前記特殊運転モードを選択することを操作者に可能ならしめるべく構成されている、請求項１に記載の燃料電池システム。
【請求項１３】
停電によって運転が停止した後の起動時には、制御装置が、特殊運転モードを選択して運転を行う、請求項１に記載の燃料電池システム。
【請求項１４】
さらに、前記燃料電池システムの状態を表示する表示装置を少なくとも備え、前記特殊運転モードが選択されている場合には、前記表示装置にその旨を表示する、請求項１に記載の燃料電池システム。
【手続補正２】
【補正対象書類名】明細書
【補正対象項目名】００１２
【補正方法】変更
【補正の内容】
【００１２】
また、本発明に係る燃料電池システムは、前記第１の作動許可条件が、温度、時間、燃料の水素濃度、圧力及び水分含有量のいずれかのパラメータに関する条件であって、前記第２の作動許可条件が、前記第１の作動許可条件と同一のパラメータに関し前記第１の作動許可条件を緩和した条件であってもよい（請求項２）。
また、本発明に係る燃料電池システムは、さらに、前記水素生成装置の温度を検出する温度検出器と、前記水素生成装置の運転時間を計時する計時器と、を少なくとも備え、前記第一の作動許可条件は、特定の条件を満たしてから第一の所定期間中に前記水素生成装置の温度が第一の所定温度を上回るか否かであり、前記第二の作動許可条件は、特定の条件を満たしてから第二の所定期間中に前記水素生成装置の温度が第一の所定温度を上回るか否かであり、前記第二の所定期間が前記第一の所定期間よりも長くなっていてもよい（請求項３）。
【手続補正３】
【補正対象書類名】明細書
【補正対象項目名】００１４
【補正方法】変更
【補正の内容】
【００１４】
また、本発明に係る燃料電池システムは、前記第二の所定期間が、前記第一の所定期間の２倍以上３倍以下であってもよい（請求項４）。
【手続補正４】
【補正対象書類名】明細書
【補正対象項目名】００１６
【補正方法】変更
【補正の内容】
【００１６】
また、前記水素生成装置は、前記原料と前記水とを反応させて水素を含むガスを生成する改質器と、前記改質器から供給されたガス中の一酸化炭素をシフト反応により低下させる変成器と、を少なくとも備え、前記温度検出器は、前記改質器、前記変成器の少なくとも一つの温度を検出してもよい（請求項５）。
【手続補正５】
【補正対象書類名】明細書
【補正対象項目名】００１８
【補正方法】変更
【補正の内容】
【００１８】
また、本発明に係る燃料電池システムは、さらに、前記変成器から供給されたガス中の一酸化炭素濃度を選択酸化反応により低下させる浄化器を備え、前記温度検出器は、前記改質器、前記変成器、前記浄化器の少なくとも一つの温度を検出してもよい（請求項６）。
【手続補正６】
【補正対象書類名】明細書
【補正対象項目名】００２０
【補正方法】変更
【補正の内容】
【００２０】
また、本発明に係る燃料電池システムは、さらに、前記水素生成装置を加熱するヒータを少なくとも備え、前記制御装置が、前記ヒータにより前記水素生成装置を加熱する燃料電池システムであって、前記制御装置が、前記特殊運転モードにおいて、前記ヒータによる加熱量を増やしてもよい（請求項７）。あるいは、本発明に係る燃料電池システムにおいて、前記水素生成装置は、原料を改質する改質器と、前記改質器を加熱する改質用加熱器と、を少なくとも備え、前記制御装置が、前記改質用加熱器により前記改質器を加熱する燃料電池システムであって、前記制御装置が、前記特殊運転モードにおいて、前記改質用加熱器による加熱量を増やすよう制御してもよい（請求項８）。
【手続補正７】
【補正対象書類名】明細書
【補正対象項目名】００２２
【補正方法】変更
【補正の内容】
【００２２】
また、本発明に係る燃料電池システムは、前記制御装置が、前記特殊運転モードにおいて、前記原料供給装置からの原料の供給量を増やすよう制御してもよい（請求項９）。
【手続補正８】
【補正対象書類名】明細書
【補正対象項目名】００２４
【補正方法】変更
【補正の内容】
【００２４】
また、本発明に係る燃料電池システムにおいて、前記改質用加熱器は、前記燃料電池から排出される燃料排ガスを燃焼させてもよい（請求項１０）。
【手続補正９】
【補正対象書類名】明細書
【補正対象項目名】００２６
【補正方法】変更
【補正の内容】
【００２６】
また、本発明に係る燃料電池システムにおいて、前記制御装置は、前記特殊運転モードにおいて、前記水供給装置が供給する水の量を減少させるよう制御してもよい（請求項１１）。
【手続補正１０】
【補正対象書類名】明細書
【補正対象項目名】００２８
【補正方法】変更
【補正の内容】
【００２８】
また、本発明に係る燃料電池システムにおいて、前記通常運転モードと前記特殊運転モードを選択することを操作者に可能ならしめるべく構成されていてもよい（請求項１２）
これにより、異常停止後やメンテナンス時に、操作者の指令によって、作動許可条件を適切に緩和して運転することが可能となる。
【手続補正１１】
【補正対象書類名】明細書
【補正対象項目名】００２９
【補正方法】変更
【補正の内容】
【００２９】
また、本発明に係る燃料電池システムにおいて、停電によって運転が停止した後の起動時には、制御装置が、特殊運転モードを選択して運転を行ってもよい（請求項１３）。
【手続補正１２】
【補正対象書類名】明細書
【補正対象項目名】００３１
【補正方法】変更
【補正の内容】
【００３１】
また、本発明に係る燃料電池システムにおいて、さらに、前記燃料電池システムの状態を表示する表示装置を少なくとも備え、前記特殊運転モードが選択されている場合には、前記表示装置にその旨を表示してもよい（請求項１４）。